(57)【要約】【課題】谷折れ状態の折れ戸の蝶番近傍に過剰な負荷が掛かっても蝶番が容易に損傷することがなく、かつ、美観性に優れた折れ戸を提供する。【解決手段】折れ戸を構成する扉体２の板状本体２１が、隣接する木口の後側２１１で蝶番１によって谷折れするように連結されてなり、上記板状本体２１の相対向する木口がそれぞれ後側の一部を残して切り欠かれるとともに、上記切り欠き部に軟質材料からなるクッション体３を固着してなる。上記軟質材料からなるクッション体３の蝶番側の側面に突条体３１を凸設し、他方のクッション体３に上記突条を受ける凹溝部３２を設けてもよい。【選択図】図３
2010248847.tif 000002
【特許請求の範囲】
【請求項１】
折れ戸を構成する扉体の板状本体が、隣接する木口の後側で蝶番によって谷折れするように連結されてなり、上記板状本体の相対向する木口がそれぞれ後側の一部を残して切り欠かれるとともに、上記両切り欠き部に軟質材料からなるクッション体を固着してなる折れ戸。
【請求項２】
上記一方のクッション体の蝶番側の側面に突条体が凸設されるとともに、他方のクッション体には上記突条を受ける凹溝部が設けられてなる請求項１に記載の折れ戸。
【発明の詳細な説明】
【技術分野】
【０００１】
本願発明は折れ戸に関し、例えば、クローゼットの扉として用いられる折れ戸に関するものである。
【背景技術】
【０００２】
近年、２枚の扉体を蝶番で連結し、２つ折りに折り畳み自在とした折れ戸の使用が普及している。この折れ戸は、大きめの部屋、例えば、リビングルームを二分して２つの個室とするように間仕切ることができるとともに、個々の折れ戸を折り畳んで片側に寄せることにより、広々とゆとりのあるリビングルームとすることもできる。
【０００３】
さらに、マンションの浴室等、出入りの間口を大きく取れない場合においては、折れ戸を洗い場と脱衣場の間に配置し、出入り時に折り畳んで片側に寄せることにより、狭い間口に使用者が容易に出入りできる出入り口を確保することもできる。
【０００４】
折れ戸には、上記したように各種の利点があるが、少なくとも２枚の扉体を蝶番で連結して構成されているため、前側に平面形状Ｖ字状に折れて開いた折れ戸を閉じる際、左右の扉体の構成部材の間に誤って指を詰める、あるいは、身体の一部の皮膚が挟まれて怪我をするという安全上の問題がある。特に、クローゼットの扉として用いられる折れ戸においては開閉の操作が前側からのみ行われるためにこの安全上の問題は大きいものである。
【０００５】
このような問題点を解決するため、例えば、特開平８−２９６３６４号公報には、本願図４に示すように、蝶番１によって２つ折れ自在に連結された左右一対の扉体２の少なくとも一方が、板状本体２１と、この板状本体２１の蝶番側の側部２１２に上下にわたって設けられた軟質材料からなるクッション体３を有した折れ戸Ｂが開示されている。
【０００６】
そして、本願図４に点線で示すように、前側に平面形状Ｖ字状に折れて開く（以下谷折れという）左右の扉体２の板状本体２１の蝶番１近傍の部分を押して閉じる際、左右の板状本体２１の間に誤って指を詰めても、上記クッション体３が変形して指を強く挟持することがないので、指を怪我するというような事故を防止できると、その効果が述べられている。
【先行技術文献】
【特許文献】
【０００７】
【特許文献１】特開平８−２９６３６４号公報
【発明の概要】
【発明が解決しようとする課題】
【０００８】
しかしながら、本願図４に示すように、上記折れ戸Ｂは蝶番１の羽根体１１を固定する固定用ビス４はクッション体３に固定できないため２つのクッション体３を挟み、間隔を開けて（蝶番１軸部より距離をおいて）左右の板状本体２１に固定用ビス４で固定される。このため、勢いよく谷折れ部を押して折れ戸Ｂを閉じると、蝶番１を本来の開閉方向とは逆方向に作用する力が働き、蝶番１が山折れとなって損傷するという問題がある。又、固定用ビス４が蝶番１軸部より距離をおいて固定されているために固定用ビス４の固定部がゆるみ、がたつくという問題がある。
【０００９】
本願発明は、上記背景技術に鑑みてなしたものであり、その目的は、幼児の指挟み等の事故を防止できるとともに、誤って谷折れ状態の折れ戸の蝶番近傍に過剰な負荷が掛かっても蝶番が容易に損傷することがなく、かつ、固定用ビスの固定部がゆるみ、がたつく恐れが少ない、優れた折れ戸を提供することである。
【課題を解決するための手段】
【００１０】
上記課題を解決するために、本願請求項１に記載の発明に係る折れ戸は、折れ戸を構成する扉体の板状本体が、隣接する木口の後側で蝶番によって谷折れするように連結されてなり、上記板状本体の相対向する木口がそれぞれ後側の一部を残して切り欠かれるとともに、上記両切り欠き部に軟質材料からなるクッション体を固着してなるものである。
【００１１】
上記板状本体としては、木製の場合が適切なものであり、木製には、木製単板の他に種々の木質基材の表面に、突き板を貼着し、あるいは、木目の意匠や色彩が印刷された合成樹脂シートや強力紙を貼着し、表面化粧したもの等が含まれ、木質基材としては、合板、集成材、中密度繊維板（ＭＤＦ）、パーティクルボード、またはＷＰＢ（ウッドプラスチックボード）等があげられる。また、部分的に透明性樹脂からなるパネルをはめ込み、ガラスデザインとしてもよい。
【００１２】
上記軟質材料からなるクッション体としては、柔軟性に富み、指を強く挟持しない程度の緩衝作用があれば特に限定することなく用いられ、発泡合成ゴム、ポリウレタンフォーム、ポリエチレンフォーム等の発泡体、または合成ゴム、天然ゴムをクッション性を有するように中空に加工して用いてもよい。
【００１３】
また、本願請求項２に記載の発明においては、上記請求項１に記載の折れ戸において、上記軟質材料からなるクッション体の蝶番側の側面に突条体が凸設されるとともに、相対向するクッション体には上記突条を受ける凹溝部が設けられてなることを特徴としている。
【発明の効果】
【００１４】
本願請求項１記載の発明に係る折れ戸においては、折れ戸を構成する２枚の扉体の板状本体が、隣接する木口どうしをクッション体を介して連結する公知の技術とは異なって、クッション体を介在させずに、木口どうしを直接、その後側で固定しているため、蝶番の軸を中心とする左右の固定用ビスの間隔が短くなり、しっかりと左右２枚の板状本体を連結することができる。
【００１５】
また、蝶番自体の剛性も向上するため、子供が谷折れ部に体当たりしたとき等、蝶番を谷折れさせる本来の開閉方向とは逆に山折れする力が働いても、蝶番がしっかりと左右２枚の板状本体に連結されているため、蝶番の損傷を防ぐことができる。
【００１６】
また、上記板状本体の相対向する木口がそれぞれ後側の一部を残して切り欠かれ、上記両切り欠き部にクッション体が固着されているため、板状本体が剛性の大なる木質材で形成されていた場合にも、幼児が指を挟まれ、あるいは、大人が身体の一部、例えば、腕の皮膚が挟まれる等の事故が起きても、クッション体の緩衝作用により怪我を防ぐことができる。
【００１７】
また、本願請求項２記載の発明の折れ戸においては、特に、上記一方のクッション体の蝶番側の側面に突条体が凸設され、他方のクッション体には上記突条を受ける凹溝部が設けられているため、突条体が凹溝部に受けられることにより、左右２枚の板状本体が隙間なく連接され、例えばクローゼットの扉としてこの折れ戸を用いた場合、クローゼット内が遮蔽され、外からゴミ、ほこりのクローゼット内への侵入を防止することができる。また、部屋の間仕切りとして用いた場合も、遮蔽効果が向上し、プライバシーを良好に保つことができる。
【図面の簡単な説明】
【００１８】
【図１】本願発明に係る折れ戸の概略構成を示す斜視図。
【図２】図１におけるＸ−Ｘ線に沿う断面を示し、本願発明の第１実施形態を示す横断面図。
【図３】本願発明の第２実施形態を示す横断面図。
【図４】公知の折れ戸の一例を示す部分断面説明図。
【発明を実施するための形態】
【００１９】
以下、本願発明に係る折れ戸の実施形態について図面を参照して詳細に説明する。図１は、本願発明に係る折れ戸Ａの概略構成を示す斜視図である。図１に示すように、上記折れ戸Ａは、左右２枚の扉体２が、木製の板状本体２１の隣接する木口の後側２１１で蝶番１によって前側に平面形状Ｖ字状に折れて開くように、すなわち、谷折れするように連結して構成される。
【００２０】
図１に示すように、本実施形態においては、左右２枚の板状本体２１は、３個の蝶番１によって連結され、各蝶番１は板状本体２１の木口後側２１１で固定用ビス４によって固定されている。
【００２１】
図２は、図１におけるＸ−Ｘ線に沿う断面を示し、本願発明の第１実施形態を示す横断面図である。本実施形態においては、左右２枚の板状本体２１の蝶番１側の側部２１２の隣接する木口は、その後側２１１で蝶番１により連結されるとともに、木口の一部が切り欠かれている。すなわち、木口後側２１１の一部を残して横断面Ｌ字形に切り欠かれ、切り欠かれた部分には軟質材料からなるクッション体３が相対向して固着されている。
【００２２】
図２に示すように、本実施形態においては、各蝶番１は、公知例におけるように、クッション体を介することなく、左右２枚の板状本体２１の蝶番側の側部２１２の隣り合う木口後側２１１どうしを連結する。すなわち、図２に示すように、固定用ビス４をクッション体３に関係なく固定でき、固定用ビス４間の間隔ｄを短くして連結することができるため、蝶番１に本来の谷折れとは、開閉方向が逆に作用する力が働いても、羽根体１１が逆に開く力のモーメントは弱くなる。そのため、こどもが体当たりする等、谷折れ部に山折れに押す力が働いても、蝶番１の損傷を防ぐことができる。また、固定用ビス４の固定部のゆるみ、がたつきを少なくすることができる。
【００２３】
また、相対向する横断面Ｌ字形の切り欠き部に固着された上記軟質材料からなるクッション体３は衝撃を緩和する機能を有しているため、幼児が誤って指を挟まれたり、あるいは、大人が身体の一部、例えば、腕の皮膚を挟まれても、クッション体３の緩衝作用により怪我を防ぐことができる。また、クッション体３が、谷折れ部に山折れに掛かる負荷を吸収して羽根体１１が逆方向に開く力を軽減させることができる。
【００２４】
図３は本願発明の第２実施形態を示す横断面図である。本実施形態においては、例えば、紙面左側の板状本体２１の蝶番側の側部２１２に付設されたクッション体３の蝶番側の側面に突条体３１が凸設されるとともに、相対向するクッション体３には、上記突条３１を受ける凹溝部３２が設けられている。
【００２５】
このように、相対向するクッション体３に突条３１と凹溝部３２を設けることにより、谷折れ部を押して折れ戸Ａを閉じたとき、左右２枚の板状本体２１が隙間なく連接され、例えば、クローゼットの扉として第２実施形態に係る折れ戸Ａを配設したとき、クローゼット内外が遮蔽され、外からのゴミ、ほこりなどの侵入を防ぐことができる。
【００２６】
なお、上記実施形態は、左右扉体２からなる折れ戸Ａを一つ用いる例について述べたが、一つのみならず、複数の折れ戸Ａを連接して用いてもよい。このように本願発明に係る折れ戸は設計変更自在であり、特許請求の範囲を逸脱しない限り、いずれの場合も本願発明の技術的範囲に属する。
【符号の説明】
【００２７】
Ａ      本願発明に係る折れ戸
Ｂ      公知の折れ戸
ｄ      固定用ビス間の間隔
１      蝶番
１１    羽根体
２      扉体
２１    板状本体
２１１  木口後側
２１２  蝶番側の側部
３      クッション体
３１    突条
３２    凹溝部
４      固定用ビス
【図１】
2010248847.tif 000003
【図２】
2010248847.tif 000004
【図３】
2010248847.tif 000005
【図４】
2010248847.tif 000006